【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
回転する像担持体と、
前記像担持体に複数の色の現像剤像を形成するための複数の現像手段と、
複数の色の現像剤像のそれぞれの濃度を検出するための検出パターンを検出する検出手段と、
前記検出手段によって検出された前記検出パターンの検出結果に応じて濃度を補正する濃度補正手段と、
前記像担持体の回転方向と直交する方向に対して同じ位置に、前記検出パターンとしての複数の濃度を含む濃度検出用パターンと前記濃度検出用パターンの位置を特定するための基準パターンを連続して形成させる際に、前記像担持体の回転による検出パターンの移動方向に対し、前記基準パターンと前記基準パターンに続いて形成される濃度検出用パターンの先端の現像剤像を同じ現像手段により形成させると選択することにより、前記基準パターンと前記基準パターンに続いて形成される濃度検出用パターンの間隔を所望の間隔とする制御手段と、
を備えることを特徴とする画像形成装置。
【請求項２】
回転する像担持体と、
前記像担持体に複数の色の現像剤像を形成するための複数の現像手段と、
複数の色の現像剤像の相対的な位置ずれ量を検出するため、又は複数の色の現像剤像のそれぞれの濃度を検出するための検出パターンを検出する検出手段と、
前記検出手段によって検出された前記検出パターンの検出結果に応じて位置ずれ、又は濃度を補正する補正手段と、
前記像担持体の回転方向と直交する方向に対して同じ位置に、前記検出パターンと前記検出パターンを検出するタイミングの基準となる基準パターンを連続して形成させる際に、前記像担持体の回転による検出パターンの移動方向に対し、前記基準パターンと前記基準パターンに続いて形成される検出パターンの先端の現像剤像を同じ現像手段により形成させると選択することにより、前記基準パターンと前記基準パターンに続いて形成される検出パターンの間隔を所望の間隔とする制御手段と、
を備えることを特徴とする画像形成装置。
【請求項３】
回転する像担持体と、
前記像担持体に複数の色の現像剤像を形成するための複数の現像手段と、
複数の色の現像剤像のそれぞれの濃度を検出するための検出パターンとしての複数の濃度を含む濃度検出用パターンと、前記濃度検出用パターンと所定間隔で形成される前記濃度検出用パターンの位置を特定するための基準パターンを検出する検出手段と、
前記検出手段によって検出された前記検出パターンの検出結果に応じて濃度を補正する濃度補正手段と、
前記像担持体の回転方向と直交する方向に対して同じ位置に、前記基準パターンと前記濃度検出用パターンを前記所定間隔で連続して形成させるために、前記像担持体の回転による検出パターンの移動方向に対し、前記基準パターンと前記基準パターンに続いて形成される濃度検出用パターンの先端の現像剤像を同じ現像手段により形成させる制御手段と、
を備えることを特徴とする画像形成装置。
【請求項４】
回転する像担持体と、
前記像担持体に複数の色の現像剤像を形成するための複数の現像手段と、
複数の色の現像剤像の相対的な位置ずれ量を検出するため、又は複数の色の現像剤像のそれぞれの濃度を検出するための検出パターンと、前記検出パターンと所定間隔で形成される前記検出パターンの位置を特定するための基準パターンを検出する検出手段と、
前記検出手段によって検出された前記検出パターンの検出結果に応じて位置ずれ、又は濃度を補正する補正手段と、
前記像担持体の回転方向と直交する方向に対して同じ位置に、前記基準パターンと前記検出パターンを前記所定間隔で連続して形成させるために、前記像担持体の回転による検出パターンの移動方向に対し、前記基準パターンと前記基準パターンに続いて形成される検出パターンの先端の現像剤像を同じ現像手段により形成させる制御手段と、
を備えることを特徴とする画像形成装置。
【請求項５】
回転する像担持体と、
前記像担持体に複数の色の現像剤像を形成するための複数の現像手段と、
複数の色の現像剤像のそれぞれの濃度を検出するための検出パターンを検出する検出手段と、
前記検出手段によって検出された前記検出パターンの検出結果に応じて濃度を補正する濃度補正手段と、
前記像担持体の回転方向と直交する方向に対して同じ位置に、前記検出パターンとしての複数の濃度を含む濃度検出用パターンと前記濃度検出用パターンの位置を特定するための基準パターンを連続して形成させる際に、前記像担持体の回転による検出パターンの移動方向に対し、前記基準パターンと前記基準パターンに続いて形成される濃度検出用パターンの先端の現像剤像を同じ現像手段により形成させると選択することにより、前記基準パターンと前記濃度検出用パターンの先端の現像剤像を同じ現像手段により形成させる際の前記基準パターンと前記濃度検出用パターンの間隔を、前記濃度検出用パターンとして形成される複数のパッチのうち、異なる現像手段により形成させる２つのパッチの間隔より狭くさせる制御手段と、
を備えることを特徴とする画像形成装置。
【請求項６】
回転する像担持体と、
前記像担持体に複数の色の現像剤像を形成するための複数の現像手段と、
複数の色の現像剤像の相対的な位置ずれ量を検出するため、又は複数の色の現像剤像のそれぞれの濃度を検出するための検出パターンを検出する検出手段と、
前記検出手段によって検出された前記検出パターンの検出結果に応じて位置ずれ、又は濃度を補正する補正手段と、
前記像担持体の回転方向と直交する方向に対して同じ位置に、前記検出パターンと前記検出パターンを検出するタイミングの基準となる基準パターンを連続して形成させる際に、前記像担持体の回転による検出パターンの移動方向に対し、前記基準パターンと前記基準パターンに続いて形成される検出パターンの先端の現像剤像を同じ現像手段により形成させると選択することにより、前記基準パターンと前記検出パターンの先端の現像剤像を同じ現像手段により形成させる際の前記基準パターンと前記検出パターンの間隔を、前記検出パターンとして形成させる複数のパッチのうち、異なる現像手段により形成させる２つのパッチの間隔より狭くさせる制御手段と、
を備えることを特徴とする画像形成装置。
【請求項７】
回転する像担持体と、
前記像担持体に複数の色の現像剤像を形成するための複数の現像手段と、
複数の色の現像剤像のそれぞれの濃度を検出するための検出パターンを検出する検出手段と、
前記検出手段によって検出された前記検出パターンの検出結果に応じて濃度を補正する濃度補正手段と、
前記像担持体の回転方向と直交する方向に対して同じ位置に、前記検出パターンとしての複数の濃度を含む濃度検出用パターンと前記濃度検出用パターンの位置を特定するための基準パターンを連続して形成させる際に、前記像担持体の回転による検出パターンの移動方向に対し、前記基準パターンと前記基準パターンに続いて形成される濃度検出用パターンの先端の現像剤像を同じ現像手段により形成させると選択することにより、前記基準パターンと前記濃度検出用パターンの先端の現像剤像を同じ現像手段により形成させる際の前記基準パターンと前記濃度検出用パターンの間隔を、前記基準パターンと前記濃度検出用パターンの先端の現像剤像を異なる現像手段により形成させる際の前記基準パターンと前記濃度検出用パターンの間隔より狭くさせる制御手段と、
を備えることを特徴とする画像形成装置。
【請求項８】
回転する像担持体と、
前記像担持体に複数の色の現像剤像を形成するための複数の現像手段と、
複数の色の現像剤像の相対的な位置ずれ量を検出するため、又は複数の色の現像剤像のそれぞれの濃度を検出するための検出パターンを検出する検出手段と、
前記検出手段によって検出された前記検出パターンの検出結果に応じて位置ずれ、又は濃度を補正する補正手段と、
前記像担持体の回転方向と直交する方向に対して同じ位置に、前記検出パターンと前記検出パターンを検出するタイミングの基準となる基準パターンを連続して形成させる際に、前記像担持体の回転による検出パターンの移動方向に対し、前記基準パターンと前記基準パターンに続いて形成される検出パターンの先端の現像剤像を同じ現像手段により形成させると選択することにより、前記基準パターンと前記検出パターンの先端の現像剤像を同じ現像手段により形成させる際の前記基準パターンと前記検出パターンの間隔を、前記基準パターンと前記検出パターンの先端の現像剤像を異なる現像手段により形成させる際の前記基準パターンと前記検出パターンの間隔より狭くさせる制御手段と、
を備えることを特徴とする画像形成装置。
【請求項９】
前記基準パターン及び前記検出パターンは、前記像担持体上に形成された未定着画像であることを特徴とする請求項１乃至８のいずれか１項に記載の画像形成装置。
【請求項１０】
前記像担持体は中間転写ベルトであることを特徴とする請求項１乃至９のいずれか１項に記載の画像形成装置。
【請求項１１】
前記現像手段によって感光体上に形成された現像剤像は前記像担持体に転写されることを特徴とする請求項１乃至１０のいずれか１項に記載の画像形成装置。
【手続補正２】
【補正対象書類名】明細書
【補正対象項目名】０００８
【補正方法】変更
【補正の内容】
【０００８】
本発明の一側面によると、画像形成装置は、回転する像担持体と、前記像担持体に複数の色の現像剤像を形成するための複数の現像手段と、複数の色の現像剤像それぞれの濃度を検出するための検出パターンを検出する検出手段と、前記検出手段によって検出された前記検出パターンの検出結果に応じて濃度を補正する濃度補正手段と、前記像担持体の回転方向と直交する方向に対して同じ位置に、前記検出パターンとしての複数の濃度を含む濃度検出用パターンと前記濃度検出用パターンの位置を特定するための基準パターンを連続して形成させる際に、前記像担持体の回転による検出パターンの移動方向に対し、前記基準パターンと前記基準パターンに続いて形成される濃度検出用パターンの先端の現像剤像を同じ現像手段により形成させると選択することにより、前記基準パターンと前記基準パターンに続いて形成される濃度検出用パターンの間隔を所望の間隔とする制御手段と、を備えることを特徴とする。